(57)【特許請求の範囲】
【請求項１】
回転軸を中心に回転可能であってシート材を所定の給送方向に給送する給送ローラと、
給送ガイド部材と、
前記給送ガイド部材に着脱可能な分離用ユニットであって、
ハウジングと、
前記ハウジングに前記回転軸と平行な回動軸を中心に回動可能に取り付けられるホルダと、
前記ホルダにおける前記ハウジング側と反対側に取り付けられ、前記給送ローラ側の面に形成される分離部材と、
前記ハウジングと前記ホルダとの間に配置され、前記ハウジングから離間する側に回動させるよう前記ホルダを付勢する付勢部材と、
前記付勢部材の付勢力による前記ホルダの回動移動を前記付勢部材における付勢力が残存した状態で規制する回動規制部と、を有する分離用ユニットと、を備え、
前記ハウジングは、前記分離部材よりも前記給送方向の上流側に配置されると共に前記分離部材における前記給送方向に直交する幅方向の両端よりも外側に設けられる一対の被ガイド部を有し、
前記給送ガイド部材は、
前記分離用ユニットを収容する凹部と、
前記一対の被ガイド部が回動可能な回動領域と、
前記一対の被ガイド部における回動移動を規制すると共に前記一対の被ガイド部を位置決めする一対の位置決め部であって、前記凹部の前記給送方向の上流側に配置されると共に前記一対の被ガイド部を位置決めするように前記幅方向に離間して配置される一対の位置決め部と、を備え、
前記ハウジングには、前記分離部材よりも前記給送方向の下流側に配置されると共に前記分離部材における前記幅方向の両端よりも外側に配置される一対の係止部と、前記一対の係止部を上方側から覆うように前記一対の係止部の上方側から前記給送方向の下流側に延びる一対の上面板と、が設けられ、
前記給送ガイド部材には、前記凹部の前記給送方向の下流側に配置されると共に前記一対の係止部を位置決めするように前記幅方向に離間して配置される一対の被係止部が設けられ、
前記分離用ユニットが前記凹部に収容され、前記給送ローラよりも前記給送方向の上流側において、前記被ガイド部が前記位置決め部により位置決めされ、且つ、前記給送ローラよりも前記給送方向の下流側において、前記係止部が前記被係止部に係止された状態で、前記分離用ユニットは、前記給送ガイド部材に装着される
シート材給送装置。
【請求項２】
前記係止部の突出方向は、前記給送方向の下流側である
請求項１に記載のシート材給送装置。
【請求項３】
前記給送ローラは、前記分離部材に当接した当接状態と前記分離部材から離間した離間状態とに状態変化可能に構成され、
前記給送ローラが前記当接状態である場合、
前記ホルダは、前記分離部材を介して前記給送ローラにより第１回動位置において回動移動が規制され、
前記付勢部材は、前記ホルダを第１付勢力で付勢し、
前記給送ローラが前記離間状態である場合、
前記ホルダは、前記回動規制部により第２回動位置において回動移動が規制され、
前記付勢部材は、前記ホルダを前記第１付勢力よりも弱い第２付勢力で付勢する
請求項１又は２に記載のシート材給送装置。
【請求項４】
前記分離用ユニットが前記給送ガイド部材から取り外された脱状態において、
前記ホルダは、前記回動規制部により前記第２回動位置において回動移動が規制され、
前記付勢部材は、前記ホルダを第２付勢力で付勢する
請求項３に記載のシート材給送装置。
【請求項５】
前記回動規制部は、前記給送方向において前記ホルダの上流側に配置され、前記回転軸と平行な平面状の壁部であり、
前記分離部材は、前記給送ローラ側の表面に配置されると共に前記ホルダにおける前記壁部側の面を覆うように配置されるシート部材を有し、
前記ホルダは、前記シート部材における前記壁部側の面を覆うように配置される部分が前記壁部に当接して、前記回動規制部により回動移動が規制される
請求項１から４のいずれかに記載シート材給送装置。
【請求項６】
前記ハウジングは、
前記分離部材よりも前記給送方向の上流側に形成され、前記分離部材における前記給送ローラ側の表面と交差するように傾斜した傾斜給送部と、
前記傾斜給送部における前記給送方向に直交する幅方向において前記ホルダの外縁よりも内側の領域に配置されると共に、一部が前記分離部材の一部を覆うように前記給送方向の下流側に突出して配置される前捌きパッドと、を有する
請求項１から５のいずれかに記載のシート材給送装置。
【請求項７】
前記給送ガイド部材は、前記凹部に形成され前記被ガイド部の移動をガイドするガイド部を備え、
前記回動領域は、前記ガイド部に連続して形成される
請求項１から６のいずれかに記載のシート材給送装置。
【請求項８】
前記ガイド部は、前記ハウジングが前記給送ガイド部材に装着された状態を基準として斜めに傾いた状態において前記被ガイド部が挿入可能であると共に、前記被ガイド部を該斜め方向へガイド可能に形成され、
前記回動領域は、前記ガイド部によりガイドされた被ガイド部の先端部における該先端部よりも根元側の所定位置を回動軸とした回動移動が可能な領域であり、
前記位置決め部は、前記ガイド部によりガイドされた被ガイド部の先端部が回動移動する側に形成される
請求項７に記載のシート材給送装置。
【請求項９】
請求項１から８のいずれかに記載のシート材給送装置と、
前記シート材給送装置により給送された前記シート材の表面に形成された画像を読み込む読み込み部と、
前記読み込み部により読み込まれた画像に関する画像情報に基づいて、シート状の画像形成媒体に画像を形成する画像形成部と、を備える
画像形成装置。
【発明の詳細な説明】
【技術分野】
【０００１】
本発明は、読み込み装置等にシート材を給送するシート材給送装置及び、該シート材給送装置を備える画像形成装置に関する。
【背景技術】
【０００２】
シート材給送装置は、コピー機やファクシミリ等のように、原稿の画像を読み取る画像読取部を備える画像形成装置等と組み合わされて使用される装置である。シート材給送装置は、例えば、シート材を給送する給送ローラと、給送されたシート材を１枚ずつ分離する分離部材と、分離部材を付勢する付勢手段と、を備える。
分離部材は、給送ローラによる重送を抑制するための部材であって、給送ローラと共に原稿（シート材）を挟むように配置される分離パッドを有して構成される。分離パッドは、表面の摩擦係数が給送ローラの表面の摩擦係数よりも若干小さい部材である。分離パッドは、原稿（シート材）との摩擦により磨耗した場合には重送性能が低下するため、必要なタイミングで交換される必要がある。
【０００３】
従来、分離パッドを交換する場合、対向して配置される給送ローラを取り外す必要があった。このため、分離パッドを交換するための作業負担が重いという問題があった。
【０００４】
これに対し、分離パッドを交換するための作業負担を軽減するため、付勢手段を保持すると共に分離部材を着脱可能に保持する保持部材を備えるシート材給送装置が提案されている（例えば、特許文献１参照）。ここで、保持部材は、ネジや弾性係止爪により装置本体に着脱可能に取り付けられている。
【先行技術文献】
【特許文献】
【０００５】
【特許文献１】特開２０００−２１９３４７号公報
【発明の概要】
【発明が解決しようとする課題】
【０００６】
しかし、特許文献１記載のシート材給送装置において、分離部材は、付勢部材としてのバネにより付勢されているため、再装着時において、バネの自然長だけ保持部材から離間した回動位置に配置される。つまり、ユーザは、再装着時において、バネの長さを所定長さにするよう（短くするよう）分離部材に押圧力を加えながら保持部材を装置本体に取り付ける必要があった。
また、特許文献１のシート材給送装置において、分離部材は作業スペースが広い場合には取り付け作業が可能であるが、作業スペースが狭い場合には取り付け作業が難しい場合があった。
【０００７】
本発明は、分離パッドを容易に交換できるシート材給送装置を提供することを目的とする。
また、本発明は、上記シート材給送装置を備える画像形成装置を提供することを目的とする。
【課題を解決するための手段】
【０００８】
本発明は、回転軸を中心に回転可能であってシート材を所定の給送方向に給送する給送ローラと、給送ガイド部材と、前記給送ガイド部材に着脱可能な分離用ユニットであって、ハウジングと、前記ハウジングに前記回転軸と平行な回動軸を中心に回動可能に取り付けられるホルダと、前記ホルダにおける前記ハウジング側と反対側に取り付けられ、前記給送ローラ側の面に形成される分離パッドと、前記ハウジングと前記ホルダとの間に配置され、前記ハウジングから離間する側に回動させるよう前記ホルダを付勢する付勢部材と、前記付勢部材の付勢力による前記ホルダの回動移動を前記付勢部材における付勢力が残存した状態で規制する回動規制部と、を有する分離用ユニットと、を備えるシート材給送装置に関する。
【０００９】
また、シート材給送装置において、前記給送ローラは、前記分離パッドに当接した当接状態と前記分離パッドから離間した離間状態とに状態変化可能に構成され、前記給送ローラが前記当接状態である場合、前記ホルダは、前記分離パッドを介して前記給送ローラにより第１回転位置において回動移動が規制され、前記付勢部材は、前記ホルダを第１付勢力で付勢し、前記給送ローラが前記離間状態である場合、前記ホルダは、前記回動規制部により第２回動位置において回動移動が規制され、前記付勢部材は、前記ホルダを前記第１付勢力よりも弱い第２付勢力で付勢することが好ましい。
【００１０】
また、シート材給送装置において、前記分離用ユニットが前記給送ガイド部材から取り外された脱状態において、前記ホルダは、前記回動規制部により前記第２回動位置において回動移動が規制され、前記付勢部材は、前記ホルダを第２付勢力で付勢することが好ましい。
【００１１】
また、シート材給送装置において、前記回動規制部は、前記給送方向において前記ホルダの上流側に配置され、前記回転軸と平行な平面状の壁部であり、前記分離パッドは、前記給送ローラ側の表面に配置されると共に前記ホルダにおける前記壁部側の面を覆うように配置されるシート部材を有し、前記ホルダは、前記シート部材にける前記壁部側の面を覆うように配置される部分が前記壁部に当接して、前記回動規制部により回動移動が規制されることが好ましい。
【００１２】
また、シート材給送装置において、前記ホルダは、前記回動軸方向に突出する一対の突起部を有し、前記ハウジングは、前記一対の突起部それぞれを回転可能に係合する一対の係合部を有することが好ましい。
【００１３】
また、シート材給送装置において、前記ホルダは、前記一対の突起部それぞれを端部に有する一対の可撓性の腕部と、を有し、前記係合部は、開口部であり、前記突起部は、前記腕部を変形させることで前記開口部に挿通されると共に、該挿通された状態で前記係合部により前記ホルダを回動可能に係合されることが好ましい。
【００１４】
また、シート材給送装置において、前記ハウジングは、前記分離パッドよりも前記給送方向の上流側に形成され、前記分離パッドにおける前記給送ローラ側の表面と交差するように傾斜した傾斜給送部と、前記傾斜給送部における前記給送方向に直交する幅方向において前記ホルダの外縁よりも内側の領域に配置されると共に、一部が前記分離パッドの一部を覆うように前記給送方向の下流側に突出して配置される前捌きパッドと、を有することが好ましい。
【００１５】
また、シート材給送装置において、前記ハウジングは、前記給送方向の上流側に配置される被ガイド部を有し、前記給送ガイド部材は、前記分離用ユニットを収容する凹部と、前記凹部に形成され前記被ガイド部の移動をガイドするガイド部と、前記ガイド部に連続して形成され前記被ガイド部が回動可能な回動領域と、前記被ガイド部における回動移動を規制すると共に被ガイド部を位置決めする位置決め部と、を備えることが好ましい。
【００１６】
また、シート材給送装置において、前記ガイド部は、前記ハウジングが前記給送ガイド部材に装着された状態を基準として斜めに傾いた状態において前記被ガイド部が挿入可能であると共に、前記被ガイド部を該斜め方向へガイド可能に形成され、前記回動領域は、前記ガイド部によりガイドされた被ガイド部の先端部における該先端部よりも根元側の所定位置を回動軸とした回動移動が可能な領域であり、前記位置決め部は、前記ガイド部によりガイドされた被ガイド部の先端部が回動移動する側に形成されることが好ましい。
【００１７】
本発明は、上記いずいれかに記載にシート材給送装置と、前記シート材給送装置により給送された前記シート材の表面に形成された画像を読み込む読み込み部と、前記読み込み部により読み込まれた画像に関する画像情報に基づいて、シート状の画像形成媒体に画像を形成する画像形成部と、を備える画像形成装置に関する。
【発明の効果】
【００１８】
本発明によれば、分離パッドを容易に交換できるシート材給送装置を提供することができる。
また、本発明によれば、上記シート材給送装置を備える画像形成装置を提供することができる。
【図面の簡単な説明】
【００１９】
【図１】本発明の画像形成装置の一実施形態としてのコピー機１における各構成要素の配置を説明するための左側面図である。
【図２】図１に示すシート材給送装置７００を示す斜視図である。
【図３】シート材給送装置７００における断面図である。
【図４】カバー７０５を開けた状態におけるシート材給送装置７００を示す斜視図である。
【図５】図４の状態から、給送ローラユニット３００を取り外した状態におけるシート材給送装置７００を示す斜視図である。
【図６】給送ユニット４００の平面図である。
【図７】給送ユニット４００の斜視図である。
【図８】給送ユニット４００におけるガイド部材４１０から分離用ユニット４５０が取り外された状態を説明する斜視図である。
【図９】図６における給送ユニット４００のＡ―Ａ断面図である。
【図１０】分離用ユニット４５０の構成を説明する展開図である。
【図１１】分離用ユニット４５０をガイド部材４１０に装着する方法を説明する図である。
【図１２】分離用ユニット４５０をガイド部材４１０に装着する方法を説明する図である。
【図１３】分離用ユニット４５０をガイド部材４１０に装着する方法を説明する図である。
【発明を実施するための形態】
【００２０】
以下、図面を参照して本発明を実施するための最良の形態を説明する。
図１により、画像形成装置の一実施形態としてのコピー機１における全体構造を説明する。本実施形態のコピー機１には、本発明のシート材給送装置７００の一実施形態が含まれている。
【００２１】
図１は、本発明の画像形成装置の一実施形態としてのコピー機１における各構成要素の配置を説明するための左側面図である。本実施形態において、後述する手差しトレイ６５が配置された側（図１における右側）をコピー機１の前側とする。図２は、図１に示すシート材給送装置７００を示す斜視図である。図３は、シート材給送装置７００における断面図である。図４は、カバー７０５を開けた状態におけるシート材給送装置７００を示す斜視図である。図５は、図４の状態から、給送ローラユニット３００を取り外した状態におけるシート材給送装置７００を示す斜視図である。図６は、給送ユニット４００の平面図である。図７は、給送ユニット４００の斜視図である。図８は、給送ユニット４００におけるガイド部材４１０から分離用ユニット４５０が取り外された状態を説明する斜視図である。図９は、図６における給送ユニット４００のＡ―Ａ断面図である。図１０は、分離用ユニット４５０の構成を説明する展開図である。
【００２２】
図１に示すように、本実施形態のコピー機１は、画像読取装置２００と、装置本体Ｍとを備える。
画像読取装置２００は、画像読取部２０１と、画像読取部２０１の垂直方向上側に配置され画像読取部２０１に原稿（シート材）を自動的に搬送するシート材給送装置７００とを備える。
装置本体Ｍは、画像読取装置２００（画像読取部２０１）の垂直方向下側に配置され、画像読取部２０１からの画像情報に基づいて用紙Ｔ（シート状の画像形成媒体）にトナー画像を形成する。
【００２３】
まず、シート材給送装置７００について説明する。
図１から図５に示すように、シート材給送装置７００は、給送機構筐体７０１と、原稿載置部７１０と、原稿集積部７２０と、中間トレイ７３０とを備える。
【００２４】
給送機構筐体７０１は、シート材給送装置７００における給送機構が収納された筐体である。
原稿載置部７１０は、画像が読み取られる前の原稿Ｇ（シート材）が載置される部分である。
原稿集積部７２０は、原稿載置部７１０の垂直方向下側に位置し、所定の画像読取位置Ｊ（図３参照）を通過した原稿Ｇが集積される部分である。
【００２５】
中間トレイ７３０は、原稿載置部７１０と原稿集積部７２０との間に配置され、原稿載置部７１０と原稿集積部７２０との間の空間Ｋを原稿集積部７２０側の第１空間Ｋ１と原稿載置部７１０側の第２空間Ｋ２とに仕切るトレイである。
【００２６】
図２から図５に示すように、原稿載置部７１０は、載置部トレイ７１１と、原稿押さえ部７１２と、トレイ支持壁７１５と、待機部７１３と、分離壁７１４とを備える。
【００２７】
載置部トレイ７１１の載置面（上面）における基端側（後ろ側）には、一対の原稿押さえ部７１２が設けられる。一対の原稿押さえ部７１２は、原稿Ｇの幅に応じて、載置部トレイ７１１の幅方向（シート材給送装置７００の左右方向）に相対的に接近又は離間自在にスライド可能に配置される。
【００２８】
トレイ支持壁７１５は、載置部トレイ７１１を支持する壁部である。トレイ支持壁７１５は、載置部トレイ７１１の基端部側（後ろ側）に設けられる。
トレイ支持壁７１５は、シート材給送装置７００の左側（図２における手前側）の左支持壁７１５ａと、シート材給送装置７００の右側（図２における奥側）の右支持壁７１５ｂとを備える。左支持壁７１５ａ及び右支持壁７１５ｂは、垂直方向に延びる板状の部材である。
【００２９】
図３に示すように、待機部７１３は、給送機構筐体７０１の内部に設けられており、原稿Ｇの搬送方向に沿ってほぼ水平方向に延びるように形成される。待機部７１３の上面には、原稿Ｇの前端部（給送方向Ｃにおける下流側の端部）が配置される。
分離壁７１４は、待機部７１３における給送方向Ｃ下流側に配置され、給送方向Ｃの下流側に向かうに従って垂直方向上側に向かうように傾斜した壁部である。
原稿載置部７１０に載置された原稿Ｇは、前端部が分離壁７１４に突き当たることにより待機部７１３において待機状態となる。そして、待機部７１３において積層した状態で待機している原稿Ｇは、前端部が分離壁７１４を乗り越えることで良好に分離される（捌かれる）。
【００３０】
図３に示すように、給送機構筐体７０１には、第１原稿排出部７０２と、第２原稿排出部７０３と、第１搬送手段と、第２搬送手段と、第３搬送手段とが設けられている。
【００３１】
第１原稿排出部７０２は、第１空間Ｋ１に臨み、原稿Ｇを第１空間Ｋ１に向けて排出する部分である。
第２原稿排出部７０３は、第２空間Ｋ２に臨み、原稿Ｇの一部分を第２空間Ｋ２に向けて排出する部分である。
第１搬送手段は、原稿載置部７１０に載置された原稿Ｇを画像読取位置Ｊに搬送する手段である。
第２搬送手段は、画像読取位置Ｊに位置する原稿Ｇを第１原稿排出部７０２に搬送する手段である。
第３搬送手段は、画像読取位置Ｊに位置する原稿Ｇを、第２空間Ｋ２を利用してスイッチバックさせると共に表裏反転させて画像読取位置Ｊに再度搬送する手段である。
【００３２】
図３に示すように、第１搬送手段は、ピックアップローラ７４１と、給送ローラ３１０と、分離パッド４９０（分離用ユニット４５０）と、読み取り前ローラ対７４５を有して構成される。第１搬送手段は、原稿載置部７１０に載置された原稿を給送機構筐体７０１の後部を経由して画像読取位置Ｊに搬送する。
【００３３】
ピックアップローラ７４１は、原稿Ｇから離間したホームポジションと、原稿Ｇの表面に軽く当接するピックアップポジションとに移動可能に構成される。ピックアップローラ７４１は、図３において時計回りに回転駆動されると、ホームポジションからピックアップポジションに移動するよう構成される。ピックアップローラ７４１は、原稿Ｇを給送した後、ピックアップポジションからホームポジションに戻るよう構成される。また、ピックアップローラ７４１は、時計回りに回転し、又は回転を停止可能に構成される。
【００３４】
給送ローラ３１０は、分離パッド４９０に当接した当接状態と、分離パッド４９０から離間した離間状態とに状態変化可能に構成される。
給送ローラ３１０は、分離用ユニット４５０がガイド部材４１０に装着された装着状態において、分離パッド４９０における上面に当接した当接位置（原稿Ｇが間に配置される場合には原稿Ｇを挟み込む位置）に配置される。この場合、給送ローラ３１０は、当接状態となる。
また、給送ローラ３１０は、分離用ユニット４５０がガイド部材４１０に装着された装着状態において、シート材給送装置７００から取り外し可能に構成される。また、給送ローラ３１０は、分離用ユニット４５０がガイド部材４１０に装着された装着状態において、分離用ユニット４５０を取り外し可能な（取り外しやすい）位置（例えば、図３において上側）に配置可能に構成される。給送ローラ３１０がシート材給送装置７００から取り外された場合や、給送ローラ３１０が分離用ユニット４５０を取り外しやすい位置に配置された場合、給送ローラ３１０は、離間状態となる。
また、給送ローラ３１０は、分離用ユニット４５０がガイド部材４１０から取り外された脱状態において、離間状態となる。
給送ローラ３１０は、原稿Ｇの前端部が給送ローラ３１０と分離パッド４９０との間に位置すると、図３において時計回りに回転駆動され、ピックアップローラ７４１から受け渡された原稿Ｇを摩擦力によって下流側に向けて１枚ずつ捌いて給送する。また、給送ローラ３１０は、時計回りに回転し、又は回転を停止可能に構成される。ここで、給送ローラ３１０における分離パッド４９０（分離用ユニット４５０）との関係については、後に詳述する。
【００３５】
上述の通り、給送ローラ３１０は、分離パッド４９０と協働してピックアップローラ７４１から受け渡された原稿Ｇを摩擦力によって下流側に向けて１枚ずつ捌いて給送する。
ここで、分離パッド４９０は、ガイド部材４１０に装着された分離用ユニット４５０に配置される。分離パッド４９０を備える分離用ユニット４５０については、後に詳述する。
【００３６】
読み取り前ローラ対７４５は、読み取り位置Ｊの給送方向Ｃにおける上流側に配置される。読み取り前ローラ対７４５は、給送ローラ３１０により給送された原稿Ｇを挟持しながら読み取り位置Ｊに向けて搬送する。
【００３７】
画像読取位置Ｊの垂直方向上側には、原稿ガイド７４６が配置される。原稿ガイド７４６は、読み取り位置Ｊにおいて、原稿Ｇの搬送経路を形成するため、透過部材２０２との間に微小間隙を介して対向配置される。
【００３８】
給送機構筐体７０１における画像読取位置Ｊに対応する部分（垂直方向下側）は開放されている。これにより、原稿Ｇ（被読取画像が形成された面）は、画像読取位置Ｊを通過する際に画像読取部２０１における読取面を構成する透過部材２０２に対向して配置される。
【００３９】
第１原稿排出部７０２には第１排出ローラ対７５３が配置される。第１排出ローラ対７５３は、第１排出ローラ対７５３に搬送されてきた原稿Ｇを、第１空間Ｋ１に排出する。
【００４０】
第２搬送手段は、読み取り後ローラ対７５１と、切換部材７５２と、第１排出ローラ対７５３を含んで構成される。第２搬送手段は、画像読取位置Ｊに位置する原稿Ｇを第１原稿排出部７０２に搬送する。
【００４１】
読み取り後ローラ対７５１は、読み取り位置Ｊから搬送される原稿Ｇを、給送方向Ｃにおける下流側（切換部材７５２側）に搬送する。
【００４２】
切換部材７５２は、読み取り後ローラ対７５１の給送方向Ｃにおける下流側であって、第１排出ローラ対７５３又は第２排出ローラ対７５４より上流側に配設される。
切換部材７５２は、読み取り後ローラ対７５１から搬送された原稿Ｇを第１原稿排出部７０２（第１排出ローラ対７５３）側にガイドする第１位置と、第２原稿排出部７０３（第２排出ローラ対７５４）側にガイドする第２位置とに切り替え（揺動）可能に配置される。
【００４３】
第２原稿排出部７０３には第２排出ローラ対７５４が配置される。第２排出ローラ対７５４は、第２排出ローラ対７５４に搬送されてきた原稿Ｇを、第２空間Ｋ２に排出する。
【００４４】
第３搬送手段は、読み取り後ローラ対７５１と、切換部材７５２と、第２排出ローラ対７５４を含んで構成される。第３搬送手段は、画像読取位置Ｊに位置する原稿Ｇを、第２空間Ｋ２を利用してスイッチバックさせると共に表裏反転させて画像読取位置Ｊに再度搬送する。
【００４５】
次いで、画像読取部２０１について説明する。
画像読取部２０１は、光源を含む照明部と、光路を形成する複数のミラーと、結像レンズと、読取手段としてのＣＣＤと、ＣＣＤにより読み取られた画像情報に対して所定の処理をすると共に該画像情報を装置本体Ｍ側に出力させるＣＣＤ基板とを備える。
シート材給送装置７００において、読取位置Ｊに搬送された原稿Ｇに形成された画像は、ＣＣＤにより読み取られる。
【００４６】
続けて、装置本体Ｍについて説明する。
また、図１に示すように、装置本体Ｍは、所定の画像情報に基づいて用紙Ｔに所定の画像を形成する画像形成部と、用紙Ｔを画像形成部に給紙すると共に画像が形成された用紙Ｔを排紙する給排紙部とを有する。
【００４７】
図１に示すように、画像形成部は、感光体ドラム２と、帯電部１０と、レーザスキャナユニット４と、現像器１６と、トナーカートリッジ５と、トナー供給装置６と、転写ローラ８と、定着部としての定着装置９とを備える。
【００４８】
また、給排紙部は、給紙カセット５２と、手差しトレイ６５と、レジストローラ対８０と、用紙Ｔの搬送路Ｌとを備える。
【００４９】
感光体ドラム２は、円筒形状の部材からなり、像担持体として機能する。感光体ドラム２は、図１の紙面に対して垂直な回転軸を中心に回転可能な態様で装置本体Ｍに配置される。感光体ドラム２の表面には、静電潜像が形成される。
【００５０】
帯電部１０は、感光体ドラム２の垂直方向上側（上方）に配置される。帯電部１０は、感光体ドラム２の表面を一様に正（プラス極性）帯電させる。
【００５１】
レーザスキャナユニット４は、感光体ドラム２の垂直方向上側（上方）に感光体ドラム２から離間して配置される。レーザスキャナユニット４は、不図示のレーザ光源、ポリゴンミラー、ポリゴンミラー駆動用モータ等を有して構成される。
【００５２】
レーザスキャナユニット４は、画像読取装置２００から出力された画像情報に基づいて、感光体ドラム２の表面を走査露光する。レーザスキャナユニット４により走査露光されることによって、感光体ドラム２の表面に帯電した電荷が除去される。これにより、感光体ドラム２の表面に静電潜像が形成される。
【００５３】
現像器１６は、感光体ドラム２の前方（図１における右側）に配置される。現像器１６は、感光体ドラム２に形成された静電潜像に単色（通常はブラック）のトナー画像を現像する。現像器１６は、感光体ドラム２に対向配置可能な現像ローラ１７とトナー攪拌用の攪拌ローラ１８とを有して構成される。
【００５４】
トナーカートリッジ５は、現像器１６に供給されるトナーを収容する。
トナー供給装置６は、トナーカートリッジ５に収容されたトナーを、現像器１６に供給する。
【００５５】
ドラムクリーニング装置１１は、感光体ドラム２の後方（図１における左側）に配置される。ドラムクリーニング装置１１は、感光体ドラム２の表面に残留したトナーや付着物を除去する。
【００５６】
転写ローラ８は、感光体ドラム２の表面に現像されたトナー画像を用紙Ｔに直接的に転写させる。転写ローラ８には、不図示の電圧印加手段により、感光体ドラム２に現像されたトナー画像を用紙Ｔに転写させるための転写バイアスが印加される。
【００５７】
なお、感光体ドラム２の表面に現像されたトナー画像は、中間転写ベルト等を介して、用紙Ｔに間接的に転写させることができる。
【００５８】
転写ローラ８は、感光体ドラム２に当接される当接位置と、感光体ドラム２から離間する離間位置とに移動可能に構成される。詳細には、転写ローラ８は、感光体ドラム２に現像されたトナー画像を用紙Ｔに転写させる場合には当接位置に移動され、他の場合には離間位置に移動される。
ここで、用紙Ｔは、感光体ドラム２と転写ローラ８とによって挟み込まれ、感光体ドラム２の表面（トナー画像が現像された側）に押し当てられる。このようにして転写部としての転写ニップＮが形成され、感光体ドラム２に現像されたトナー画像は、用紙Ｔに転写される。
【００５９】
定着装置９は、用紙Ｔに転写されたトナー画像を構成するトナーを溶融させて、用紙Ｔに定着させる。定着装置９は、ヒータにより加熱される加熱ローラ９ａと、加熱ローラ９ａに圧接される加圧ローラ９ｂと、を備える。加熱ローラ９ａと加圧ローラ９ｂとは、トナー画像が転写された用紙Ｔを挟持するようにして搬送する。用紙Ｔが加熱ローラ９ａと加圧ローラ９ｂとの間に挟持されるように搬送されることによって、用紙Ｔに転写されたトナーは、溶融されると共に該用紙Ｔの表面に定着される。
【００６０】
給紙カセット５２は、装置本体Ｍの下部（垂直方向における下側）に配置される。給紙カセット５２は、装置本体Ｍの前側（図１における右側）に水平方向に引き出し可能に配置される。給紙カセット５２は、用紙Ｔが載置される載置板６０を備えており、給紙カセット５２には、載置板６０に用紙Ｔが積層された状態で、用紙Ｔが収容される。カセット給紙部５１は、給紙カセット５２の用紙送り出し側端部（図１における右側端部）に配置される。カセット給紙部５１は、給紙カセット５２に収容された用紙Ｔを搬送路Ｌに送り出す。
【００６１】
カセット給紙部５１は、載置板６０に載置された用紙Ｔを取り出す前送りコロ６１と、用紙Ｔを１枚ずつ搬送路Ｌに送り出すローラ対６３とからなる重送防止機構を備える。
【００６２】
カセット給紙部５１又は手差し給紙部６４と排紙部５０との間には、用紙Ｔを搬送する搬送路Ｌが形成される。搬送路Ｌは、カセット給紙部５１から第１合流部Ｐ１までの第１搬送路Ｌ１と、第１合流部Ｐ１からレジストローラ対８０までの第２搬送路Ｌ２と、レジストローラ対８０から転写ローラ８までの第３搬送路Ｌ３と、転写ローラ８から定着装置９までの第４搬送路Ｌ４と、定着装置９から分岐部Ｐ３までの第５搬送路Ｌ５と、分岐部Ｐ３から排紙部５０までの第６搬送路Ｌ６とを有する。
【００６３】
また、搬送路Ｌは、手差しトレイ６５から第１合流部Ｐ１までの第７搬送路Ｌ７を有する。第１合流部Ｐ１は、カセット給紙部５１から用紙Ｔを搬送する第１搬送路Ｌ１と、手差しトレイ６５から用紙Ｔを搬送する第７搬送路Ｌ７との合流部である。
【００６４】
第２搬送路Ｌ２の途中には、第２合流部Ｐ２が配置される。更に、搬送路Ｌは、分岐部Ｐ３から第２合流部Ｐ２までの戻し搬送路Ｌｂを有する。第２合流部Ｐ２は、第２搬送路Ｌ２と戻し搬送路Ｌｂとの合流部である。
【００６５】
ここで、転写ローラ８における用紙Ｔの搬送方向の上流側（図１における右側）には、レジストローラ対８０が配置される。レジストローラ対８０は、用紙Ｔのスキュー（斜め給紙）補正や、トナー画像とのタイミング調整を行うためのローラ対である。
【００６６】
戻し搬送路Ｌｂは、用紙Ｔの両面印刷を行う際に、既に印刷されている面とは反対面（非印刷面）を感光体ドラム２に対向させるために設けられる搬送路である。
【００６７】
戻し搬送路Ｌｂによれば、分岐部Ｐ３から排紙部５０側に搬送された用紙Ｔを表裏反転させて第２搬送路Ｌ２に戻すことができる。戻し搬送路Ｌｂにより表裏反転された用紙Ｔは、感光体ドラム２により非印刷面に対して所定のトナー画像が転写される。
【００６８】
装置本体Ｍの前面側（図１における右側）であって給紙カセット５２の上方には、手差し給紙部６４が設けられる。手差し給紙部６４は、手差しトレイ６５と、給紙コロ６６とを備える。手差しトレイ６５は、その基端部が第７搬送路Ｌ７の入口近傍に回動自在（開閉自在）に取り付けられる。手差しトレイ６５は、その閉状態において、装置本体Ｍの前面の一部を構成する。給紙コロ６６は、手差しトレイ６５に載置された用紙Ｔを取り出し、第７搬送路Ｌ７に向けて送り出す。
【００６９】
手差し給紙部６４は、開状態の手差しトレイ６５に載置された用紙Ｔを、第７搬送路Ｌ７及び第１合流部Ｐ１を介して、第２搬送路Ｌ２に給紙する。
【００７０】
第６搬送路Ｌ６における端部には、排紙部５０が形成される。排紙部５０は、装置本体Ｍにおける上方側に配置される。排紙部５０は、装置本体Ｍの前方（図１における右方）に向けて開口している。排紙部５０は、定着装置９によりトナーが定着された用紙Ｔを装置本体Ｍの外部に排紙する。
【００７１】
排紙部５０における開口側には、排紙集積部Ｍ１が形成される。排紙集積部Ｍ１は、装置本体Ｍにおける上面（外面）に形成される。排紙集積部Ｍ１は、装置本体Ｍにおける上面が下方（垂直方向下側）に窪んで形成された部分である。排紙集積部Ｍ１の底面は、装置本体Ｍにおける上面の一部を構成する。排紙集積部Ｍ１には、排紙部５０から排紙された、所定画像が転写された用紙Ｔが積層して集積される。
【００７２】
画像読取部２０１から出力された画像情報は、画像読取装置２００から装置本体Ｍに出力される。
装置本体Ｍにおいて、入力された画像情報は、不図示の画像形成制御部に入力される。画像形成制御部は、画像情報に基づいて、画像形成部を構成する像担持体としての感光体ドラム２、帯電部１０、レーザスキャナユニット４や現像器１６等を制御する。感光体ドラム２には、画像情報に基づいて、所定のトナー画像が形成される。
【００７３】
搬送路Ｌを介して感光体ドラム２により形成される転写ニップＮに搬送された用紙Ｔには、画像情報に基づいて原稿Ｇの画像と同じ画像が転写される。画像が形成された用紙Ｔは、排紙部５０から排紙集積部Ｍ１に排紙される。
【００７４】
次いで、図４から図１０により、シート材給送装置７００の内部構造を説明すると共に、給送ユニット４００及び該給送ユニット４００に含まれる分離用ユニット４５０について説明する。
図４及び図５に示すように、シート材給送装置７００は、開閉可能なカバー７０５と、開状態において外部に露出可能に配置される給送ローラユニット３００及び給送ユニット４００とを備える。
【００７５】
給送ローラユニット３００は、ピックアップローラ７４１及び給送ローラ３１０それぞれを回転可能に保持する駆動ユニット３１５と、駆動ユニット３１５における給送方向Ｃの下流側において給送方向Ｃと直交する幅方向Ｙに延びるよう形成される軸部材３２０と、軸部材３２０を回転させる軸部材駆動部（不図示）と、を備える。
【００７６】
給送ローラユニット３００は、給送ユニット４００における垂直方向上側に配置される。具体的には、給送ローラユニット３００は、原稿Ｇ（シート材）が配置されていない状態において給送ローラ３１０が分離パッド４９０に当接可能に、給送ユニット４００における垂直方向上側に配置される。
給送ローラ３１０は、回転軸Ｃ１（図３参照）を中心に回転移動に構成される。給送ローラ３１０は、原稿Ｇを給送方向Ｃに給送する。
【００７７】
給送ローラ３１０は、分離パッド４９０に当接した当接状態と、分離パッド４９０から離間した離間状態とに状態変化可能（遷移可能）に構成される。給送ローラ３１０は、分離用ユニット４５０がガイド部材４１０に装着された装着状態において、分離パッド４９０における上面に当接した当接位置（原稿Ｇが間に配置される場合には原稿Ｇを挟み込む位置）に配置される。この場合、給送ローラ３１０は、当接状態となる。
給送ローラ３１０は、当接位置に位置した場合（当接状態である場合）、分離パッド４９０を介して後述するホルダ４８０の回動移動を規制する。
【００７８】
駆動ユニット３１５は、ピックアップローラ７４１と、給送ローラ３１０と、ピックアップローラ７４１及び給送ローラ３１０を回転駆動させる駆動部（不図示）とを有する。
駆動ユニット３１５は、給送方向Ｃにおける上流側の一端部においてピックアップローラ７４１を回転可能に保持すると共に、下流側の他端部において給送ローラ３１０を回転可能に保持する。
駆動ユニット３１５は、軸部材３２０を介して、軸部材駆動部によりピックアップローラ７４１を保持する側を自由端として回動移動される。
【００７９】
軸部材３２０は、駆動ユニット３１５の他端部側に給送方向Ｃに直交する幅方向Ｙに延びるよう形成される。
軸部材３２０は、駆動ユニット３１５をピックアップローラ７４１が保持される側を自由端として回動移動可能に構成される。軸部材３２０は、軸部材駆動部により回転移動される。
【００８０】
軸部材駆動部（不図示）は、軸部材３２０を回転移動させる。軸部材駆動部は、軸部材３２０を介して、駆動ユニット３１５を回動移動させる。
【００８１】
上述の通り、給送ローラユニット３００は、給送ローラ３１０が当接位置に配置された当接状態と、離間位置に配置された離間状態とに状態変化可能（遷移可能、変形可能）に構成される。
【００８２】
図５から図８に示すように、給送ユニット４００は、給送ガイド部材としてのガイド部材４１０と、分離用ユニット４５０とを備える。給送ユニット４００は、給送ローラユニット３００における垂直方向下側に配置される（図４及び図５参照）。
【００８３】
図７及び図８に示すように、ガイド部材４１０は、幅方向Ｙに長い部材である。
ガイド部材４１０は、給送方向Ｃにおいて上流側に形成される傾斜部４１５（分離壁７１４）と、下流側に形成される水平部４１６とを有する。
また、ガイド部材４１０は、分離用ユニット４５０を収容する凹部４２０を有する。
【００８４】
図８に示すように、凹部４２０は、分離用ユニット４５０を収容する部分であって、垂直方向下側に窪んだ凹状の部分である。凹部４２０は、分離用ユニット４５０の大部分を収容するメイン収容部４２１と、ガイド部４２２と、回動領域４２３と、位置決め部４２４とを有する。
【００８５】
メイン収容部４２１は、分離用ユニット４５０における大部分を収容する部分である。メイン収容部４２１は、分離用ユニット４５０における後述する被ガイド部４６５，４６５を除く部分を収容する部分である。メイン収容部４２１は、後述するハウジング４６０の形状に対応した形状に形成される。
【００８６】
図８に示すように、ガイド部４２２は、メイン収容部４２１の給送方向Ｃにおける上流側に形成される。
ガイド部４２２は、上面部４２２ａと下面部４２２ｂにより形成される。上面部４２２ａは、垂直方向上側に形成され、分離パッド４９０の表面４９０Ａに対して傾斜した面である。下面部４２２ｂは、垂直方向下側に形成され、分離パッド４９０の表面４９０Ａに対して傾斜した面であって上面部４２２ａと略平行な面である。
ガイド部４２２は、分離用ユニット４５０がガイド部材４１０に装着された状態における分離パッド４９０の表面４９０Ａに対して交差する方向である斜め方向に延びるように形成される。
【００８７】
図８に示すように、回動領域４２３は、ガイド部４２２に連続して形成される。回動領域４２３は、ガイド部４２２における給送方向Ｃの上流側に形成される。
回動領域４２３は、被ガイド部４６５が回動可能な領域である。具体的には、回動領域４２３は、ガイド部４２２によりガイドされた被ガイド部４６５の先端部が該先端部よりも根元側の所定位置を回動軸（支点）として回動移動可能に形成された領域である。
【００８８】
図８に示すように、位置決め部４２４は、ガイド部４２２によりガイドされた被ガイド部４６５の先端部が回動移動する側に形成される。位置決め部４２４は、被ガイド部４６５における回動移動を規制すると共に、被ガイド部４６５を位置決めする。言い換えると、位置決め部４２４は、分離用ユニット４５０を位置決めする。
【００８９】
図１０に示すように、分離用ユニット４５０は、ハウジング４６０と、分離パッド４９０を保持するホルダ４８０と、ハウジング４６０とホルダ４８０との間に配置される付勢部材としてのバネ４７０とを備える。
【００９０】
ハウジング４６０は、回転軸Ｃ１と平行な回動軸Ｃ２を中心に回動可能な状態でホルダ４８０を保持する。ハウジング４６０は、該ハウジング４６０から離間する側に回動させるようバネ４７０に付勢された状態のホルダ４８０を保持する。
【００９１】
図９及び図１０に示すよう、ハウジング４６０は、後述する突起部４８７が挿通（挿入）される係合部としての開口部４６１と、傾斜給送部４６２と、傾斜給送部４６２に配置される前捌きパッド４６３と、係止部４６８と、ホルダ４８０の回動を規制する回動規制部としての壁部４６６と、上述した被ガイド部４６５とを有する。
【００９２】
図１０に示すように、開口部４６１は、突起部４８７が挿通（挿入）され係合される部分である。開口部４６１は、挿通（挿入）された突起部４８７を回転可能に保持する部分である。言い換えると、開口部４６１は、ホルダ４８０を回動可能とするよう突起部４８７を係合する。
【００９３】
図８から１０に示すように、傾斜給送部４６２は、ハウジング４６０における給送方向Ｃにおける上流側に形成される。傾斜給送部４６２は、分離パッド４９０よりも給送方向Ｃの上流側に形成される。
傾斜給送部４６２は、分離パッド４９０における給送ローラ３１０側の表面４９０Ａと交差するように傾斜して形成される。
【００９４】
図８から図１０に示すように、前捌きパッド４６３は、傾斜給送部４６２に配置される。前捌きパッド４６３は、幅方向Ｙにおいて、４６０ホルダの外縁よりも内側の領域に配置される。前捌きパッド４６３は、幅方向Ｙにおいて、傾斜給送部４６２の外縁よりも内側の領域に配置される。
図９及び図１０に示すように、前捌きパッド４６３は、一部が給送方向Ｃの下流側に傾斜給送部４６２から突出して配置される。具体的には、前捌きパッド４６３は、一部が分離パッド４９０の一部を覆うように給送方向Ｃの下流側に突出して配置される。
【００９５】
図８及び図１０に示すように、係止部４６８は、一端がハウジング４６０の底面側に接続される係止用腕部４６７に形成される。係止部４６８は、分離用ユニット４５０が凹部４２０に収容された状態において、被係止部４２８に係止される。係止部４６８は、被係止部４２８に係止された状態において、分離用ユニット４５０における収容状態を維持する。
【００９６】
図９及び図１０に示すように、壁部４６６は、給送方向Ｃにおいてホルダ４８０の上流側に配置（形成）され、回転軸Ｃ１と平行な平面状の壁部である。
図１０に示すように、壁部４６６は、ホルダ４８０の回動を規制する。具体的には、壁部４６６は、ホルダ４８０の回動移動をバネ４７０による付勢力が残存した状態で規制する。壁部４６６は、ホルダ４８０が第２回動位置にある状態において、ホルダ４８０の回動移動をバネ４７０による付勢力が残存した状態で規制する。
【００９７】
被ガイド部４６５は、ハウジング４６０の給送方向Ｃにおける上流側であって、幅方向Ｙにおける両端側に形成される板状の部分である。被ガイド部４６５は、分離用ユニット４５０をガイド部材４１０の凹部４２０に装着する際において、ガイド部４２２に挿入されると共に、該ガイド部４２２に移動をガイドされる。また、被ガイド部４６５は、ガイド部４２２に移動をガイドされた状態において、先端部が該先端部より根元側の所定位置を回動軸（支点）として回動領域４２３において回動移動する。また、被ガイド部４６５は、先端部が回動移動した状態で、位置決め部４２４により回動移動が規制されると共に位置決めされる。
【００９８】
図８から図１０に示すように、ホルダ４８０は、ハウジング４６０に回動軸Ｃ２を中心に回動可能に取り付けられる。ホルダ４８０は、ハウジング４６０から離間する側に回動するようバネ４７０に付勢された状態でハウジング４６０に取り付けられる。
【００９９】
ホルダ４８０は、分離パッド４９０を保持する。ホルダ４８０には、ハウジング４６０側と反対側に分離パッド４９０が取り付けられる。ホルダ４８０には、給送ローラ３１０側に表面４９０Ａが平面状に形成される分離パッドが取り付けられる。
【０１００】
分離パッド４９０は、弾性部材４９１と、表面側に配置されるシート部材４９２とを有する。
シート部材４９２は、弾性を有すると共に、表面（４９０Ａ）が所定の摩擦係数（給送ローラ３１０の表面における摩擦係数より少し低い）を有するシート部材である。シート部材４９２は、分離パッド４９０における給送ローラ３１０側の表面に配置されると共に、ホルダ４８０における壁部４６６側の側面４８０ａの一部を覆うように配置される。
【０１０１】
シート部材４９２における側面４８０ａの一部を覆うように配置される第１部分４９２ａは、ホルダ４８０が第２回動位置に位置した状態において、壁部４６６に当接される。これにより、ホルダ４８０は、壁部４６６により回動移動が規制される。
【０１０２】
分離パッド４９０は、給送ローラ３１０に当接された状態と、給送ローラ３１０が離間して当接されていない状態とに遷移可能に構成される。
分離用ユニット４５０がガイド部材４１０（シート材給送装置７００）に取り付けられた状態であると共に、給送ローラ３１０がシート材給送装置７００に用紙Ｔを給送可能に取り付けられた状態において、分離パッド４９０は、給送ローラ３１０に当接された状態となる。
また、給送ローラ３１０がシート材給送装置７００から取り外された状態や、給送ローラ３１０が分離用ユニット４５０を取り外し可能な（取り外しやすい）位置（例えば、図３において上側）に配置された状態や、分離用ユニット４５０がガイド部材４１０（シート材給送装置７００）から取り外された状態において、分離パッド４９０は、給送ローラ３１０に当接されていない状態となる。
給送ローラ３１０に当接された状態において、分離パッド４９０（ホルダ４８０）は、給送ローラ３１０により基本位置（ホルダ４８０においては第２回動位置）からバネ４７０による付勢方向と反対方向の所定位置（ホルダ４８０においては第１回動位置）に移動される。また、この状態において、分離パッド４９０（ホルダ４８０）は、バネ４７０により第１付勢力で付勢される。
【０１０３】
図１０に示すように、ホルダ４８０は、給送方向Ｃの上流側に形成され突起部４８７を端部に有する一対の可撓性の腕部４８６を有する。
腕部４８６の端部に形成される一対の突起部４８７は、回動軸Ｃ２方向において互いに向かい合う側（内側）に突出して形成される。
突起部４８７は、ハウジング４６０に形成される開口部４６１に挿通（挿入）可能に形成される。突起部４８７は、腕部４８６を変形させることで開口部４６１に挿通される。開口部４６１に挿通（挿入）した状態で、突起部４８７は、開口部４６１に回転可能に保持（係合）される。言い換えると、突起部４８７は、ホルダ４８０を回動可能に開口部４６１に保持（係合）される。
【０１０４】
ここで、ホルダ４８０は、上述の通り、回動軸Ｃ２を中心に回動可能に構成される。ホルダ４８０は、バネ４７０によりハウジング４６０から離間する方向に付勢される。また、ホルダ４８０は、壁部４６６によりバネ４７０の付勢力による回動移動が規制される。
【０１０５】
具体的には、ホルダ４８０は、分離用ユニット４５０がガイド部材４１０に装着されていない脱状態において、第２回動位置に位置する。ホルダ４８０は、分離用ユニット４５０が脱状態において、バネ４７０により第２付勢力で付勢されると共に、壁部４６６により回動移動が規制される。
【０１０６】
また、ホルダ４８０は、分離用ユニット４５０がガイド部材４１０に装着された装着状態において、第１回動位置又は第２回動位置に位置する。詳細には、ホルダ４８０は、分離用ユニット４５０が装着状態において、給送ローラ３１０が当接位置にある場合（当接状態にある場合）には第１回動位置に配置され、給送ローラ３１０がシート材給送装置７００から取り外された場合や、分離用ユニット４５０を取り外し可能な（取り外しやすい）位置（例えば、図３において上側）に移動した場合（離間状態にある場合）には第２回動位置に配置される。
【０１０７】
ホルダ４８０は、分離用ユニット４５０が装着状態において、給送ローラ３１０が当接位置にある場合には、給送ローラ３１０により第２回動位置から第１回動位置に移動されると共に、第１回動位置において回動移動が規制される。そして、ホルダ４８０は、バネ４７０により第１付勢力で付勢される。
【０１０８】
ホルダ４８０は、分離用ユニット４５０が装着状態において、シート材給送装置７００から取り外された場合や、分離用ユニット４５０を取り外し可能な（取り外しやすい）位置に移動した場合には、壁部４６６により第２回動位置において回動移動が規制されると共に、バネ４７０により第１付勢力より弱い第２付勢力で付勢される。
【０１０９】
図１０に示すように、バネ４７０は、ハウジング４６０とホルダ４８０との間に配置される。バネ４７０は、付勢力を有した状態（自然長より短く圧縮された状態）で、ハウジング４６０とホルダ４８０との間に配置される。
バネ４７０は、上述の通り、ホルダ４８０をハウジング４６０から離間する方向に付勢する。バネ４７０は、第１回動位置にあるホルダ４８０を第１付勢力で付勢すると共に、第２回動位置にあるホルダ４８０を第２付勢力で付勢する。
【０１１０】
続けて、図１１から図１３により、分離用ユニット４５０をガイド部材４１０に装着する方法について説明する。図１１は、分離用ユニット４５０をガイド部材４１０に装着する方法を説明する図である。図１２は、分離用ユニット４５０をガイド部材４１０に装着する方法を説明する図である。図１３は、分離用ユニット４５０をガイド部材４１０に装着する方法を説明する図である。
【０１１１】
まず、図１１に示すように、ユーザは、装着状態（図１３参照）を基準として分離用ユニット４５０を斜めに傾ける。具体的には、ユーザは、分離パッド４９０の表面４９０Ａがガイド部４２２が延びる方向に沿うように分離用ユニット４５０を傾ける。
【０１１２】
次いで、図１２に示すように、ユーザは、斜めに傾けた分離用ユニット４５０を給送方向Ｃの下流側から該斜め方向に沿って凹部４２０側に移動させる。具体的には、ユーザは、分離用ユニット４５０における被ガイド部４６５をガイド部材４１０におけるガイド部４２２（図１１参照）に挿入する。そして、ユーザは、分離用ユニット４５０を斜めに傾けた状態で、ガイド部４２２の延びる方向（該斜め方向）に移動させる。
これにより、被ガイド部４６５は、ガイド部４２２に移動をガイドされる。そして、分離用ユニット４５０は、凹部４２０の底面側に移動される。
【０１１３】
続けて、図１３に示すように、ユーザは、凹部４２０の底面側に移動された分離用ユニット４５０を斜めに傾いた姿勢から水平な姿勢に姿勢変化させる。具体的には、ユーザは、斜めに傾いた分離用ユニット４５０を分離パッド４９０側の端部を矢印方向に回動移動させることで、分離用ユニット４５０を水平な姿勢に姿勢変化させる。
被ガイド部４６５は、先端部が回動領域４２３において、図１１における下側から上側に向かうよう回動移動すると共に、位置決め部４２４により回動移動を規制されて位置決めされる。
これにより、分離用ユニット４５０は、凹部４２０に収容配置される。また、係止部４６８が被係止部４２８（図８参照）に係止することで、分離用ユニット４５０は、凹部４２０に収容された状態で維持される。
【０１１４】
本実施形態によれば、分離用ユニット４５０が脱状態において、分離パッド４９０が保持されるホルダ４８０は、壁部４６６に回動移動が規制されると共に、バネ４７０により第２付勢力により付勢されている。これにより、分離用ユニット４５０は、ガイド部材４１０に簡易に装着可能である。
また、分離用ユニット４５０は、単独状態（例えば、ガイド部材４１０への装着作業時の状態）において、ホルダ４８０が第２回動位置に保持され、バネ４７０が外れないように構成されている。これにより、分離用ユニット４５０は、ガイド部材４１０に簡易に装着可能である。
また、分離用ユニット４５０は、単独状態（例えば、ガイド部材４１０への装着作業時の状態）において、ホルダ４８０が第２回動位置に保持され、立ち上がった状態（第２回動位置よりも回動角度が大きな回動位置に配置された状態）にならないよう構成されるので、給送ローラ３１０の装着作業時においてホルダ４８０が邪魔にならないように構成される。これにより、給送ローラ３１０は、ガイド部材４１０に簡易に装着可能である。
また、分離用ユニット４５０は、分離パッド４９０が所定位置に正確に配置された状態でガイド部材４１０に装着される。
また、分離用ユニット４５０は、装着時において、ホルダ４８０に所定の付勢力を正確に付した状態でガイド部材４１０に装着される。
また、分離用ユニット４５０は、脱状態において、取り扱いが容易である。
また、分離用ユニット４５０は、作業スペースが狭い場合であっても、取り付け作業を容易に行うことができる。本実施形態においては、ユーザは、作業スペースの狭い給送方向Ｃの下流側から分離用ユニット４５０を取り付けることができる。
【０１１５】
また、本実施形態によれば、ホルダ４８０は、分離パッド４９０の表面側に配置されたシート部材４９２の一部である第１部分４９２ａが壁部４６６に当接することで回動移動が規制される。これにより、ホルダ４８０は、第１回動位置から第２回動位置に回動移動した際における壁部４６６への衝突による破損の発生を抑制できる。また、ホルダ４８０は、壁部４６６への衝突による衝突音の発生を抑制できる。
【０１１６】
また、本実施形態によれば、分離用ユニット４５０は、凹部４２０に形成されるガイド部４２２、回動領域４２３及び位置決め部４２４に挿入等される被ガイド部４６５を有する。これにより、分離用ユニット４５０は、凹部４２０に装着されやすい。言い換えると、分離用ユニット４５０は、ガイド部４２２に装着された状態の姿勢を基準として斜めに傾いた状態で凹部４２０に装着可能に構成される。これにより、分離用ユニット４５０は、凹部４２０の上側に所定の部材がある場合でも、斜め方向に移動させながら装着できるので、装着性が向上されている。
【０１１７】
以上、好適な実施形態について説明したが、本発明は上述した実施形態に限定されることなく種々の形態で実施することができる。
本実施形態において、画像形成装置としてコピー機１について説明しているが、これに限定されず、画像形成装置は、例えば、カラーコピー機、ファクシミリ及びこれらの複合機等であってもよい。
【０１１８】
また、本実施形態において、シート材給送装置７００は、装置本体Ｍと一体的に形成されているが、これに限定されず、装置本体Ｍと別個の筐体により構成されていてもよい。また、シート材給送装置７００は、装置本体Ｍに対して着脱可能に構成されてもよい。
【０１１９】
また、本実施形態において、ホルダ４８０に形成される一対の突起部４８７は、回動軸Ｃ２方向において互いに向かい合う側（内側）に突出しているが、これに限定されず、回動軸Ｃ２方向において互いに離間する方向（外側）に突出していてもよい。
【０１２０】
また、本実施形態において、付勢部材としてバネ４７０について説明されているが、これに限定されず、付勢部材は、例えば、ゴム等の弾性力を有する他の部材であってもよい。
【符号の説明】
【０１２１】
１……コピー機（画像形成装置）、２……感光体ドラム、２００……画像読取装置、２０１……画像読取部、７００……シート材給送装置、３００……給送ローラユニット、３１０……給送ローラ、Ｃ１……回転軸、４００……給送ユニット、４１０……ガイド部材（給送ガイド部材）、４２０……凹部、４２２……ガイド部、４２３……回動領域、４２４……位置決め部、４５０……分離用ユニット、４６０……ハウジング、４８０……ホルダ、４６１……開口（係合部）、４６２……傾斜給送部、４６３……前捌きパッド、４６５……被ガイド部、４６６……壁部（回動規制部）、４７０……バネ、４８６……腕部、４８７……突起部、４９０……分離パッド（分離部材）、４９２……シート部材、Ｇ……原稿（シート材）、Ｊ……画像読取位置、Ｋ……空間、Ｋ１……第１空間、Ｋ２……第２空間、Ｎ……転写ニップ（転写部）、Ｔ……用紙（シート状の画像形成媒体）
【図１】
0005625090.tif 000002
【図２】
0005625090.tif 000003
【図３】
0005625090.tif 000004
【図４】
0005625090.tif 000005
【図５】
0005625090.tif 000006
【図６】
0005625090.tif 000007
【図７】
0005625090.tif 000008
【図８】
0005625090.tif 000009
【図９】
0005625090.tif 000010
【図１０】
0005625090.tif 000011
【図１１】
0005625090.tif 000012
【図１２】
0005625090.tif 000013
【図１３】
0005625090.tif 000014